(57)【特許請求の範囲】
【請求項１】
ガス供給網における複数のガバナ部と該ガバナ部を監視するセンタとの間の通信による情報収集制御システムにおいて、
通常時は、前記ガバナ部であらかじめ設定された条件値に達したとき、前記ガバナ部から前記センタに自動的に情報を送信する通常通信モードによって情報が収集され、
災害発生時は、所定の条件値を検出した前記ガバナ部が所定状態であるか否かの特定情報のみを送信する特定モードに切り替わり、当該特定モードによって該ガバナ部から前記センタへ前記特定情報が送信され、
該送信された特定情報に基づいて、該センタ側が前記ガバナ部の状態を推定することを特徴とする情報収集制御システム。
【請求項２】
請求項１において、
前記災害発生時に、前記センタから前記所定状態であるガバナ部のみ前記特定情報を送信することを要求する旨の第一の指令が前記ガバナ部すべてに対して一斉に送信され、
前記特定モードであるガバナ部からの送信は、該第一の指令が受信されたときを基準に、順次行われることを特徴とする情報収集制御システム。
【請求項３】
請求項１において、
前記特定モードであるガバナ部からの送信は、前記特定モードに切り替わったときを基準に、順次行われることを特徴とする情報収集制御システム。
【請求項４】
請求項１乃至３において、
さらに、前記センタから前記所定状態か否かにかかわらず前記特定情報を送信することを要求する旨の第二の指令が前記ガバナ部すべてに対して一斉に送信され、
該第二の指令が受信されたときを基準に、前記特定モードであるガバナ部から前記特定情報の送信が順次行われることを特徴とする情報収集制御システム。
【請求項５】
請求項１乃至４において、
さらに、前記センタから、前記ガバナを前記所定状態にするための制御指令が前記ガバナ部すべてに対して一斉に送信され、
該制御指令を受信したガバナ部によりそのガバナ部が前記所定状態にされ、
さらに、該制御指令又は前記特定情報を送信することを要求する旨の一斉指令が受信されたときを基準に、前記特定モードであるガバナ部からの前記特定情報の送信が順次行われることを特徴とする情報収集制御システム。
【請求項６】
請求項１乃至５において、
前記ガバナ部は、第一の所定値以上の地震強度を検知したとき、遮断する所定状態になり且つ前記特定モードへ切り替わることを特徴とする情報収集制御システム。
【請求項７】
請求項１乃至５において、
前記ガバナ部は、第一の所定値以上の地震強度を検知したとき、遮断する所定状態にならないが前記特定モードへ切り替わり、第一の所定値より大きい第二の所定値以上の地震強度を検知したとき、前記遮断する所定状態になることを特徴とする情報収集制御システム。
【請求項８】
請求項１乃至７において、
前記複数のガバナ部それぞれの前記特定情報を送信する時刻は、前記第一及び第二の指令を受信したとき又は前記特定モードに切り替わったときを基準にあらかじめ設定されていることを特徴とする情報収集制御システム。
【請求項９】
請求項１乃至８において、
前記特定モードによる情報収集が終了した後、前記センタからの一斉指令により、又はあらかじめ設定された時間の経過によって自動的に、前記ガバナ部の特定モードが解除されることを特徴とする情報収集制御システム。
【請求項１０】
上記いずれかの請求項において、
前記複数のガバナ部と前記センタとの間の前記通常通信モード及び前記特定モードの通信は、公衆回線によって行われることを特徴とする情報収集制御システム。
【発明の詳細な説明】
【０００１】
【発明の属する技術分野】
本発明は、例えば都市ガス供給網における複数のガバナ部を遠隔で監視、制御するシステムに係り、特に、ガバナ部とそれらを監視、制御するセンタ監視装置間の通信による情報収集制御システムに関するものである。
【０００２】
【従来の技術】
ガス供給網を区分した複数のブロックにそれぞれ配置されている複数のガバナ部と、各ブロック内のガバナ部を監視するセンタ監視装置間の遠隔監視システムにおいて、通常、ガス供給網における必要な情報を収集及び監視するための通信を行うとき、ガバナ部であらかじめ設定された条件値に達したとき、ガバナ部に関する情報がガバナ部からセンタ監視装置に自動的に公衆回線を通じて送信され、それをセンタ監視装置が受信することにより、センタ監視装置はガバナ部の状態を監視している。
【０００３】
【発明が解決しようとする課題】
しかしながら、地震発生時のような緊急時においては、公衆の通信回線が輻輳し、また、各ガバナが所定の条件値に達すると、各ガバナが同時にセンタ監視装置と通信を行おうとするおそれがある。このような場合、センタ監視装置は、緊急時に収集したい各ガバナ部に関する情報を得られず、各ガバナ部の状況を正確に把握することができない。
【０００４】
そこで、本発明の目的は、緊急時において、各ガバナ部の少なくとも遮断状態に関する情報を迅速に収集し、且つ各ガバナ部に対して的確な制御を行う情報収集制御システムを提供することを目的とする。
【０００５】
【課題を解決するための手段】
上記目的は、本発明の第一の発明によれば、ガス供給網における複数のガバナ部と該ガバナ部を監視するセンタとの間の通信による情報収集制御システムにおいて、
通常時は、前記ガバナ部であらかじめ設定された条件値に達したとき、前記ガバナ部から前記センタに自動的に情報を送信する通常通信モードによって情報が収集され、
災害発生時は、所定の条件値を検出した前記ガバナ部が所定状態であるか否かの特定情報のみを送信する特定モードに切り替わり、当該特定モードによって該ガバナ部から前記センタへ前記特定情報が送信され、
該送信された特定情報に基づいて、該センタ側が前記ガバナ部の状態を推定することを特徴とする情報収集制御システムを提供することにより達成される。
【０００６】
また、上記目的は、本発明の第二の発明によれば、上記第一の発明において、
前記災害発生時に、前記センタから前記所定状態であるガバナ部のみ前記特定情報を送信することを要求する旨の第一の指令が前記ガバナ部すべてに対して一斉に送信され、
前記特定モードであるガバナ部からの送信は、該第一の指令が受信されたときを基準に、順次行われることを特徴とする情報収集制御システムを提供することにより達成される。
【０００７】
また、上記目的は、本発明の第三の発明によれば、上記第一の発明において、
前記特定モードであるガバナ部からの送信は、前記特定モードに切り替わったときを基準に、順次行われることを特徴とする情報収集制御システムを提供することにより達成される。
【０００８】
また、上記目的は、本発明の第四の発明によれば、上記第一乃至第三の発明において、
さらに、前記センタから前記所定状態か否かにかかわらず前記特定情報を送信することを要求する旨の第二の指令が前記ガバナ部すべてに対して一斉に送信され、
該第二の指令が受信されたときを基準に、前記特定モードであるガバナ部から前記特定情報の送信が順次行われることを特徴とする情報収集制御システムを提供することにより達成される。
【０００９】
また、上記目的は、本発明の第五の発明によれば、上記第一乃至第四の発明において、
さらに、前記センタから、前記ガバナを前記所定状態にするための制御指令が前記ガバナ部すべてに対して一斉に送信され、
該制御指令を受信したガバナ部によりそのガバナ部が前記所定状態にされ、
さらに、該制御指令又は前記特定情報を送信することを要求する旨の一斉指令が受信されたときを基準に、前記特定モードであるガバナ部からの前記特定情報の送信が順次行われることを特徴とする情報収集制御システムを提供することにより達成される。
【００１０】
また、上記目的は、本発明の第六の発明によれば、上記第一乃至第五の発明において、
前記ガバナ部は、第一の所定値以上の地震強度を検知したとき、遮断する所定状態になり且つ前記特定モードへ切り替わることを特徴とする情報収集制御システムを提供することにより達成される。
【００１１】
また、上記目的は、本発明の第七の発明によれば、上記第一乃至第五の発明において、
前記ガバナ部は、第一の所定値以上の地震強度を検知したとき、遮断する所定状態にならないが前記特定モードへ切り替わり、第一の所定値より大きい第二の所定値以上の地震強度を検知したとき、前記遮断する所定状態になることを特徴とする情報収集制御システムを提供することにより達成される。
【００１２】
また、上記目的は、本発明の第八の発明によれば、上記第一乃至第七の発明において、
前記複数のガバナ部それぞれの前記特定情報を送信する時刻は、前記第一及び第二の指令を受信したとき又は前記特定モードに切り替わったときを基準にあらかじめ設定されていることを特徴とする情報収集制御システムを提供することにより達成される。
【００１３】
また、上記目的は、本発明の第九の発明によれば、上記第一乃至第八の発明において、
前記特定モードによる情報収集が終了した後、前記センタからの一斉指令により、又はあらかじめ設定された時間の経過によって自動的に、前記ガバナ部の特定モードが解除されることを特徴とする情報収集制御システムを提供することにより達成される。
【００１４】
また、上記目的は、本発明の第十の発明によれば、上記いずれかの発明において、
前記複数のガバナ部と前記センタとの間の前記通常通信モード及び前記特定モードの通信は、公衆回線によって行われることを特徴とする情報収集制御システムを提供することにより達成される。
【００１５】
【発明の実施の形態】
以下、本発明の実施の形態について説明する。しかしながら、本発明の技術的範囲がこの実施の形態に限定されるものではない。
【００１６】
図１は、複数のブロックに区分されたガス供給網の概念図である。図１によれば、ガス供給元管１０内を流れるガスは、複数のブロックＫ（Ｋ１、・・・、Ｋｎ）毎に供給される。ブロックＫ毎に供給されたガスは、さらに複数に分割されたブロックＬ（Ｌ１、・・・、Ｌｎ）に供給される。そして、ブロックＬは、例えば５０のような多数のガバナ部を有しており（一部のみ図示）、それぞれのガバナ部にガスが供給される。ガバナ部に供給されたガスは、その中のガバナにより適切なガス圧に変換され、ガス需要者に供給される。
【００１７】
図２は、上記ガバナ部の概略図を示す。ガバナ部１内には、高圧ガスを中圧又は低圧に変換するガバナ２と、それに供給されるガス圧を検知する一次圧力センサＰ１、ガバナ２からガス需用者に供給されるガス圧を検知する二次圧力センサＰ２及びガバナ２内を流れるガスの開度／流量計１１が備えられている。また、番号３は、センタとの通信を行う通信装置である。
【００１８】
図３は、１つのブロックＬ内のガバナ部１を監視するガバナ監視システムの概略図である。図３によれば、番号４はセンタ監視装置（以下センタという）であり、複数のガバナ２（２ａ、・・・、２ｎ）の動作を例えば無線通信回線を介して遠隔監視及び制御する装置である。通信は、ガバナ部１にそれぞれ設置されているガバナ通信装置３（３ａ、・・・、３ｎ）とセンタ４に設けられているセンタ通信装置９の間で、通常、無線公衆回線を介して行われる。
【００１９】
そして、このシステムによって、例えば地震が発生した場合に、二次災害の未然防止などの観点から、ガバナ２へのガス供給の停止するため、後述するように、センタ４からガバナ部１にガバナ部１内のガス遮断電磁弁を遮断する指令などが送信されたり、また、ガバナ通信装置３からガス遮断電磁弁が遮断されたか否かの遮断情報などがセンタ４に送信される。
【００２０】
図４は、地震発生時におけるガバナ部１の動作及び監視のブロック概略図である。ガバナ部１内に設けられた地震計６が地震を検知すると、検知された地震の強度を加速度（ｇａｌ）及びＳＩ値（カイン）としてガバナ通信装置３の入力部に入力され、さらに、その強度情報が図示されないセンタ４に通信部から送信される。また、上記ＳＩ値は、ガス遮断電磁弁８の遮断制御を行うＳＩ遮断盤７に入力され、ＳＩ遮断盤７は、入力されたＳＩ値が遮断条件である所定の設定閾値以上の場合は、ガス遮断電磁弁８を遮断する。また、ＳＩ遮断盤７は、センタ４からの遮断指令によってもガス遮断電磁弁８を遮断する。さらに、ＳＩ遮断盤７は、ガス遮断電磁弁８が遮断されたか否かの遮断情報をガバナ通信装置３に入力し、そこからセンタ４に送信することも可能である。
【００２１】
このようなセンタ通信装置９とガバナ通信装置３との通信において、地震発生時のような場合は、様々な警報などの送信によって無線公衆回線が輻輳するおそれがあり、センタ４とすべてのガバナ２との間をそれぞれ別々の回線でつなぎ、各ガバナと個々に通信することが困難な場合がある。
【００２２】
そこで、センタ４は、例えば、各ブロックＬ内のガバナ部１の遮断情報などをいち早く収集し、ガバナ部１に対して適切な指令を与える必要がある。そのために、センタ４が監視する１つのブロックＬ内の５０のガバナのうち、適当に選ばれた例えば３つのガバナ２が、独自の自営無線回線によって、センタ４と結ばれている。
【００２３】
これにより、地震発生時などの緊急時における無線公衆回線の輻輳と無関係に、素早く各ブロックＬ内の上記３つのガバナ２の遮断情報などを収集することができる。この自営無線回線はすべてのガバナに対して設けることが好ましいが、独自の無線回線を設けるには、高額な通信機器が必要であり、多大な費用がかかる。そこで、少ない自営無線回線網からの情報に基づいて、以下のような判断がなされる。
【００２４】
センタ４に、３つのガバナのガス遮断電磁弁８すべてが遮断されている情報が収集された場合、そのブロックＬ内の他のガバナの多くが遮断されていると推定する。さらに、地震計６及びそれが設置されている地盤条件のばらつきなどにより、遮断していないガバナも存在する可能性もあると推定される。従って、安全確保の観点から、そのブロックＬ内すべてのガバナのガス遮断電磁弁８を遮断する旨の指令が後述する一斉同報指令によりセンタ４から送信される。
【００２５】
また、３つのガバナのうち１つのガバナのみがそのガス遮断電磁弁を遮断した情報が収集された場合は、そのブロックＬ内の他のガバナ部１の多くは遮断されていないと推定する。この場合は、至急そのブロックＬ内のガバナ部１をすべて遮断するほどの緊急性はないと判断し、遮断していないガバナ部１に対してのガスの供給は継続され、また、遮断したガバナ部１に対しては、人による点検を行い、その開閉が判断される。
【００２６】
しかしながら、３つのガバナのうち２つのガバナ部１が遮断されている情報が収集された場合は、そのブロックＬ内の他のガバナ部１の遮断状況を推定することが困難である。また、上記した１つのガバナが遮断されている場合であっても、他のガバナの実際の状態を把握することはできない。より安全サイドに立った観点からガバナ部１すべてを遮断してもよいが、地震による被害のない区域でのガス供給を停止することは好ましくない。そこで、本発明においては、図５に示すようなフローチャートに従って、公衆無線回線により、ガバナの遮断状況をより正確且つ迅速に把握する。
【００２７】
図５によれば、地震が発生し、ガバナ部１内の地震計６が所定の条件設定値以上のｇａｌ値及びＳＩ値を感知すると（ステップＳ１、２及び３）、センタ４との通信モードが通常通信モードから特定情報送信モード（以下特定モードという）に切り替わる（ステップＳ４）。
【００２８】
通常通信モードとは、公衆無線回線を通じて、各ガバナ部１が所定の条件値に達したとき、同時にセンタ４に対して自動的に様々な情報を送信するときのモードをいう。また、特定モードとは、ガバナ部１がセンタ４に遮断したか否かなどの特定の情報のみを順次送信するモードである。地震発生時のような緊急事態発生時において、公衆無線回線が輻輳する可能性が高いので、１つ又は最小限の回線数によって必要最小限の特定情報をセンタ４に迅速に送信するためのモードである。
【００２９】
この特定モードに切り替わったガバナの動作について、図５のフローチャートに基づいてさらに詳述する。特定モードに切り替わったガバナ部１は、センタ４からの一斉同報指令を受信する（ステップＳ５）。一斉同報指令は、センタ４からすべてのガバナ部１に対して送信される上記特定情報の送信を要求する指令である。即ち、通常通信モードにおいては、センタ４からは、各ガバナ部１の有する固有の局番宛に指令が送られ、その局番を有するガバナ部１のみが受信する。一方、一斉同報指令は、例えばブロックＬ内のガバナ部すべてが有する共通の局番宛に指令が送られ、ガバナ部すべてが受信するが、特定モードに切り替わったガバナ部のみがその一斉同報指令に対して応答する。
【００３０】
また、センタ４に送信される特定情報は、例えば、ガバナ部１のガス遮断電磁弁８が遮断されたか否かの遮断情報である。この特定情報は、地震発生時のような緊急時において必要最小限の情報であって、それのみを収集することで、多数のガバナとの通信に要する時間を短縮して緊急時に即応することができる。
【００３１】
そして、上記ステップＳ５における一斉同報指令は、例えば、遮断したガバナ２のみ遮断情報を送信することを要求する「遮断局のみ応答ガバナ遮断情報収集コマンド」である。これにより、ガス遮断電磁弁８が遮断されたガバナ部１のみが、遮断情報を送信する。即ち、センタ４が各ガバナ部１からの応答を受信した場合は、応答したガバナ部１はガス遮断電磁弁８が遮断していることを意味する。従って、例えば、ガバナ通信装置３の故障により、正確な通信データが送信できず、センタ４が正常な通信データを受信できなかった場合であっても、センタ４が何らかの応答信号を受信をした場合は、その信号を送信したガバナ部１は遮断されていると推定することができる。
【００３２】
ステップＳ５において、センタ４からの一斉同報指令を受信すると、ガバナ部１は特定モードを所定時間経過後に自動的に解除するために、あらかじめ設定された解除時間をセットする（ステップＳ６）。また、特定モードを解除するための一斉指令をセンタ４から送信することにより特定モードを解除してもよく、その場合は、このステップは行われなくともよい。
【００３３】
さらに、ステップＳ７において、ガバナ部１が遮断されている場合は、ガバナ部１は、上記一斉同報指令を受信したときを基準時として時刻合わせを行い、各ガバナ部１それぞれがセンタ４に特定情報を送信する時間即ち自局送信待時間をセットする（ステップＳ８）。具体的には、１つのブロックＬ内の複数のガバナ部１はそれぞれ例えば１ａ、１ｂ、・・・のような固有の局番が付与されている。そして、図６のガバナ部１の局番と送信時間の関係を示す図のように、上記基準時から局番の若い順番に所定時間（例えばｔ秒間）、上記特定情報をセンタ４への送信を開始する。
【００３４】
図６によれば、例えば、１番目に送信するガバナ部１ａは待ち時間なしに上記一斉同報指令受信と同時に特定情報をｔ秒間送信する。続いて、２番目のガバナ部１ｂは上記基準時からｔ秒間の自局送信待時間経過後に特定情報を送信する。同様に、ｎ番目のガバナ部１ｎは（ｎ−１）ｔ秒間の自局送信待時間が設定され、上記基準時から（ｎ−１）ｔ秒後に送信が開始される。
【００３５】
このようにして、特定モードに切り替わり、且つ遮断されているガバナ部１は自局送信待時間経過したときに（ステップＳ９）、特定情報をセンタ４に送信する（ステップＳ１０）。
【００３６】
また、図６における３番目のガバナのように、送信が行われない場合がある。これは、ガバナ部１が特定モードに切り替わっていない（即ち遮断もされていない）か、又は特定モードに切り替わっているが遮断されていないかのいずれかである。従って、センタ４によって特定情報が受信されなかった時間から、どのガバナが遮断されていないかを推定することができる。但し、ガバナ通信装置３が故障し送信ができない場合も、センタ４はそのガバナ部１の送信時刻に特定情報を受信しない。
【００３７】
このようにして、一斉同報指令に応答したガバナ部１の数から、ブロック内における遮断されたガバナ部１の数が概略把握することができる。即ち、一斉同報指令に対して応答をしないガバナ部１は、ガス遮断電磁弁８が遮断されていない、若しくはガバナ通信装置３が通信不能になっている場合のいずれかである。従って、５０カ所のガバナ部１に対して応答したガバナ部１の数から、そのブロックすべてのガバナ部１を遮断すべきか否かを判断するためのより正確な情報を収集することができる。
【００３８】
上述による情報収集において、例えば、応答したガバナ部１の数が少ない場合、ガバナ部１すべてを遮断すべきか否かの判断がまだ困難な場合がある。応答しなかったガバナ部１のガス遮断電磁弁８が遮断されているかどうかわからないからである。そこで、次に、再度、センタ４は一斉同報指令を送信し（ステップＳ１１）、特定情報を収集する。この二回目の一斉同報指令は、「全局応答ガバナＳＩ遮断情報収集コマンド」であり、センタ４は、ブロックＬ内のすべてのガバナ部１に対して、遮断されているか否かを応答することを要求する旨の指令を送信する。即ち、遮断しているガバナは再度遮断したという情報を送信するが、上述の一回目の特定情報収集と異なり、遮断していないガバナ部１は、遮断していない旨をセンタ４に送信する。
【００３９】
従って、この二回目の特定情報収集は、一回目の情報収集におけるステップＳ７に該当する段階を経ずに、一斉同報指令を受信したガバナすべてが自局送信待ち時間をセットし（ステップＳ８）、各ガバナ部１毎の自局送信待ち時間経過後（ステップＳ９）、それぞれの遮断状況を送信する（ステップＳ１０）。
【００４０】
二回の情報収集が終了した後、所定の設定時間が経過すると（ステップＳ１２）、特定モードが解除され（ステップＳ１３）、通常通信モードに戻る。
【００４１】
上述のようなフローによって得られた一回目の情報と二回目の情報とを照合すると、ガバナ部１の遮断状況を図７のように判断することができる。
【００４２】
図７によれば、ガバナ部１ａは、一回目が無応答であり、２回目が遮断していない旨の応答であるので、確実に遮断していないと判断される。
【００４３】
ガバナ部１ｂは、一回目が応答有りで、２回目も遮断された旨の応答であるので、確実に遮断していると判断される。
【００４４】
ガバナ部１ｃは、一回目が無応答であり、２回目も無応答である場合である。この場合は、一回目により、遮断していないと推定されるが、二回目の無応答により、特定モードに切り替わっていない（遮断もされていない）か、通信装置が故障していると推定され、ガバナの遮断状況は不明である。
【００４５】
ガバナ部１ｄは、１回目が通信データが不完全な応答有りで、２回目が無応答である場合である。この場合は、一回目の応答により遮断されていると推定されるが、二回目の無応答により、通信装置の故障が発生していると判断され、その確度は高くない。
【００４６】
ガバナ部１ｅは、一回目が応答有りで、２回目が無応答である場合である。この場合は、一回目に応答があるので、遮断されていると判断される。しかし、二回目が無応答であるので、その後又は時々通信不能に陥る通信装置の故障が推定される。
【００４７】
ガバナ部１ｆは、一回目が通信データが不完全な応答有りで、２回目が遮断された旨の応答有りの場合である。この場合は、一回目の応答により、遮断されていることが推定されるが、２回目の応答によりそれが確認される。また、一回目の応答により、通信装置も故障している可能性があると推定される。
【００４８】
ガバナ部１ｇは、一回目が無応答であり、２回目が通信データが不完全な応答である。この場合は、一回目が無応答であるので、遮断されていないと推定されるが、二回目も通信データエラーのため通信装置の故障の可能性も高く、その確度はあまり高くない。
【００４９】
ガバナ部１ｈは、一回目が応答有りで、２回目が通信データが不完全な応答の場合である。この場合は、一回目の応答により、遮断されていると判断されるが、二回目の応答により、通信装置が時々通信不能に陥る程度の故障であることが推定される。
【００５０】
ガバナ部１ｉは、一回目及び二回目ともに通信データが不完全な応答の場合である。この場合は、一回目に応答があるので、遮断されていると推定され、通信装置も正常通信ができない程度に故障していると推定される。
【００５１】
地震発生直後の自営通信網による限定的な情報収集に続いて、最初に最も重要な遮断情報を遮断したガバナ部のみから収集する一回目の情報収集を行い、さらに、可能ならば上記二回目の情報収集を行う。このように、遮断情報を２回収集することにより、ガバナ部１のさらに正確な遮断状況を知ることができる。
【００５２】
そして、一回の情報収集又は二回の情報収集によって、ブロック内の例えば半数以上のガバナ部１が遮断されていることが判明し、安全確保の観点からブロック内のガバナすべてを遮断することが好ましいと判断された場合、センタ４は、さらに、ブロック内のすべてのガバナ部１に対して、ガス遮断電磁弁８を遮断する旨の一斉制御指令を送信することが可能である。
【００５３】
図８は、一回目の情報収集が終了した後、一斉制御指令が送信される場合のフローチャートを示す。図８におけるステップＳ１乃至ステップＳ１０までは、図５の場合と同様であるので、その説明を省略する。
【００５４】
ステップＳ２１において、センタ４から送信された一斉制御指令が受信されると、この指令を受信した特定モードに切り替わっているガバナ部１のうちガス遮断電磁弁８が遮断されていないガバナ部１のみが上記指令受信と同時にガス遮断電磁弁８を遮断する（ステップＳ２２）。そして、上述の二回目の情報収集と同様に、上記一斉制御指令を受信したときを基準時として、ブロックＬ内の特定モードに切り替わったすべてのガバナ部１の自局送信待ち時間がセットされ（ステップＳ８）、それぞれの送信待ち時間が経過すると（ステップＳ９）、センタ４に特定情報である遮断状況を送信する（ステップＳ１０）。
【００５５】
また、センタ４は上記一斉制御指令を送信した後に、一斉同報指令を送信してもよく、その場合は、その一斉同報指令を受信したときを基準に、上記ステップＳ８乃至ステップＳ１０が行われるようにしてもよい。
【００５６】
このとき応答がない時間に対応するガバナ部１は、二回目の情報収集と同様、特定モードに切り替わっていないか、或いは、ガバナ通信装置３の通信不能、遮断盤７の故障、若しくは、それら両方のいずれかであると推定される。
【００５７】
一斉制御指令に対する応答が終了した後、所定の設定時間が経過すると（ステップＳ１２）、特定モードが解除され（ステップＳ１３）、通常通信モードに戻る。
【００５８】
このように、ガバナ部１から情報を一斉収集するのみならず、遮断制御も一斉に行うことにより、より安全性の高い迅速なガバナ監視が可能となる。
【００５９】
また、この一斉制御指令が送信されるのは、上記一回目の情報収集の後又は上記二回目の情報収集の後どちらでもよい。即ち、すべてのガバナ部１を遮断すべきと判断されたときでよい。図８のフローチャートのように上記一回目の情報収集の後に、この一斉制御指令が出された場合は、上記二回目の情報収集に代わって、ガバナ部１が遮断されたか否かの確認のための情報収集となる。
【００６０】
一方、上記一回目の情報収集又は上記二回目の情報収集が終了し、ガバナを遮断する必要なしと判断された場合は、遮断されていないガバナ部１へのガス供給はそのまま継続し、遮断されているガバナ部１に対しては、人による点検を行ったのち、その開閉を判断する。
【００６１】
ところで、上記本発明の実施の形態では、センタ４からの一回目の一斉同報指令によって、ガバナ部１は特定情報の送信を順次開始するが、本発明の別の実施の形態においては、特定モードに切り替わったときを基準時として、自動的に特定情報をセンタ４に送信するようなシステムにしてもよい。
【００６２】
このような場合におけるフローチャートを図９に示す。図９は、図５及び８と同様に、ガバナ部１の地震計６が、所定の条件設定値以上の地震の強度をその加速度（ｇａｌ）及びＳＩ値（カイン）として検知すると、ガバナ部１自身が自動的に特定モードに切り替わる。そして、特定モードに切り替わったガバナ部１は、センタ４からの一斉同報指令を待たずに、特定モードに切り替わったときを基準時として、自局送信待ち時間をセットし、この自局送信待ち時間経過後に遮断情報を送信する。即ち図５及び８におけるステップＳ５の段階がない。
【００６３】
そして、図９においては、上記一斉同報機能がない場合に全ガバナ部を遮断すべきと判断されたときにおける遮断制御の流れを示す。センタ４は遮断していない各ガバナ部１毎に順次遮断指令を送信する。各ガバナ部１によって各々の遮断指令が受信されると（ステップＳ３１）、その遮断指令を受信したガバナ部１は、遮断後（ステップＳ３２）、遮断確認情報をセンタ４に送信する（ステップＳ３３）。センタ４は、これによって個々のガバナ部１の遮断を確認する。この遮断制御が終了し（ステップＳ３４）、特定モード解除時間が経過すると（ステップＳ１２）、特定モードは解除され（ステップＳ１３）、通常通信モードに戻る。
【００６４】
また、上記一回目の情報収集は、一斉同報指令なしに行われるが、一斉同報機能がある場合は、二回目の情報収集又は遮断制御は、上述の一斉指令（ステップＳ１１又はステップＳ２１）に基づいて行われてもよい。
【００６５】
ここで、特定モードに切り替わるための所定の条件設定値は、上述のガス遮断電磁弁８を遮断するための遮断設定値と同じであってもよいし、遮断設定値より小さい値であってもよい。即ち、遮断設定値より小さいが切り替え設定値より大きい値を検知した場合は、そのガバナ部１のガス遮断電磁弁８は遮断されないが、そのガバナ部１は特定モードに切り替わる。これは、より多くのガバナを特定モードに切り替えることにより、上記一斉同報指令が出されたときに、より多くのガバナ部１から遮断及び非遮断の情報を収集するためである。
【００６６】
また、本実施の形態のように特定モードに切り替わったガバナ部１が一斉同報指令を待たずに特定情報を送信する場合は、他のガバナ部１との時刻合わせができないので、上記特定モードに切り替わった時間を基準に各ガバナ部１それぞれが自局送信待ち時間を設定する。但し、各ガバナ部１によって切り替え設定値以上の地震強度を検知する時刻が異なる可能性があり、この自局送信待ち時間は、ある程度の幅をもって設定することが好ましい。
【００６７】
【発明の効果】
以上説明したとおり、本発明によれば、コストのかかる自営無線通信網を設けることなく公衆無線回線を用いることにより、低価格でセンタ監視装置がガバナを監視する情報収集制御システムを構築することができる。
【００６８】
さらに、本発明による情報収集制御システムにより、センタ監視装置が監視するガバナ部の重要性の高い情報から先に迅速に且つ比較的正確に把握することができる。これにより、地震発生時のような緊急時において迅速な判断が求められるガス供給遮断などの判断を、より正確に且つ迅速に行うことが可能である。
【００６９】
さらに、情報収集終了後、特定モードが速やかに解除されることにより、さらに必要な情報を迅速に収集することも可能である。
【図面の簡単な説明】
【図１】ガス供給系統ブロックの概念図である。
【図２】ガバナの概略図を示す。
【図３】ガバナを監視するガバナ監視システムの概略図である。
【図４】地震発生時におけるガバナ部１の動作及び監視のブロック概略図である。
【図５】本発明の実施の形態を示すフローチャートである。
【図６】ガバナの局番と送信時間の関係を示す図である。
【図７】一回目及び二回目の情報収集により推定されるガバナの状態を示す図である。
【図８】本発明の別の実施の形態を示すフローチャートである。
【図９】本発明の更なる別の実施の形態を示すフローチャートである。
【符号の説明】
１  ガバナ部
２  ガバナ
３  ガバナ通信装置
４  センタ監視装置
６  地震計
７  ＳＩ遮断盤
８  ガス遮断電磁弁
【図１】
0003599511.tif 000002
【図２】
0003599511.tif 000003
【図３】
0003599511.tif 000004
【図４】
0003599511.tif 000005
【図５】
0003599511.tif 000006
【図６】
0003599511.tif 000007
【図７】
0003599511.tif 000008
【図８】
0003599511.tif 000009
【図９】
0003599511.tif 000010